(57)【要約】【課題】デジタルスチルカメラのモニターの画面サイズを大きくしたり、或いはデジタルスチルカメラそのものを小型化した場合に、カメラを把持するための指置きスペースを確保することが困難になり、カメラ把持時に誤ってモード切替用の回転ダイヤルに接触して誤操作させてしまう虞がある。【解決手段】デジタルスチルカメラ１は、モード切替用の回転ダイヤル１８を備えている。上記回転ダイヤル１８を回転可能に保ちつつ、該回転ダイヤル１８の上面側を透明な保護カバー２１で覆って、該保護カバー２１の上面を指置きスペースとした。【選択図】図５
2008211293.tif 000002
【特許請求の範囲】
【請求項１】
回転ダイヤルを備え、手に持って操作する電子機器であって、
上記回転ダイヤルを回転可能に保ちつつ、該回転ダイヤルの上面側を透明な保護カバーで覆って、該保護カバーの上面を指置きスペースとしたことを特徴とする電子機器。
【請求項２】
上記電子機器は、扁平な直方体形状の筐体の一方の主面に撮像レンズを配置し、上記一方の主面の対面の他方の主面に画像を表示するモニターと回転ダイヤルを配置した撮像装置であることを特徴とする請求項１に記載の電子機器。
【請求項３】
上記回転ダイヤルは、動作モード切替用の回転ダイヤルであることを特徴とする請求項２に記載の電子機器。
【請求項４】
上記保護カバーは、上記回転ダイヤルの上面に対向する部分が透明に形成されていることを特徴とする請求項１に記載の電子機器。
【請求項５】
上記保護カバーは、上記回転ダイヤルの上面に対向する部分以外の部分が不透明に形成されていることを特徴とする請求項４に記載の電子機器。
【請求項６】
上記保護カバーは、上記モニターの表面を保護する保護シートと一体に形成されていることを特徴とする請求項２に記載の撮像装置。
【発明の詳細な説明】
【技術分野】
【０００１】
本発明は、回転ダイヤルを備え、手に持って操作する電子機器、例えば、動作モード切替を行う回転ダイヤルを把持位置に備えたデジタルスチルカメラ等の電子機器に関する。
【背景技術】
【０００２】
手に持って操作する電子機器、例えば、デジタルスチルカメラとして、扁平な直方体形状の筐体の一方の主面に撮像レンズを配置し、上記一方の主面の対面の他方の主面に画像を表示するモニターと動作モード切替用の回転ダイヤルを配置し、該回転ダイヤルを回転させて動作モードの切替を行うようにしたものが知られている。（例えば、特許文献１参照）。
【特許文献１】特開２００５−３４１３５２号公報
【発明の開示】
【発明が解決しようとする課題】
【０００３】
上記デジタルスチルカメラにあっては、図６に示すように、液晶ディスプレイ等のモニター１０１の一側部に動作モード切替用の回転ダイヤル１０２が配置されている。上記回転ダイヤル１０２の外側には、手で持つ際の指置きスペース（把持スペース）１０３が設けられていて、該指置きスペース１０３を把持して撮影等を行うようになっている。
【０００４】
ところで、上述のようなデジタルスチルカメラ１においては、モニター１０１の画像を見やすくするために、モニター１０１の画面サイズを大きくし、またデジタルスチルカメラそのものを小型化する傾向にある。
【０００５】
図７に示すように、モニター１０１の画面サイズを大きくしたり、或いはデジタルスチルカメラを小型化した場合には、その煽りを受けて、指置きスペースとして使用していた部分に動作モード切替用の回転ダイヤル１０２を配置しなければならなくなり、回転ダイヤル１０２の周囲に十分な指置きスペース１０３を確保することが困難になる。
【０００６】
このため、デジタルスチルカメラ１を把持する際に、無意識のうちに回転ダイヤル１０２に触れて、該回転ダイヤル１０２を誤作動させてしまったり、或いは意識的に回転ダイヤル１０２の上面に指を置いてデジタルスチルカメラを把持した場合にも回転ダイヤル１０２を誤作動させてしまうという危険性があった。
【０００７】
本発明は、上記従来の問題点を解決し、モニターの画面サイズを大きくした場合等においても、十分な指置きスペースを確保することのできるカメラを提供することを目的に成されたものである。
【課題を解決するための手段】
【０００８】
本発明は、回転ダイヤルを備え、手にもって操作する電子機器において、上記回転ダイヤルを回転可能に保ちつつ、該回転ダイヤルの上面側を透明な保護カバーで覆って、該保護カバーの上面を指置きスペースとした。
【発明の効果】
【０００９】
回転ダイヤルの上面に触れることなく、該回転ダイヤルの配置されている部分を把持することができる。従って、回転ダイヤルの周囲に十分な指置きスペースを確保することができなかったために、仕方なく回転ダイヤルの上面に指を置いて把持していた場合等に多発していた回転ダイヤルの誤作動を確実に防止することができる。
【発明を実施するための最良の形態】
【００１０】
図１は本発明の電子機器を正面側から見た斜視図、図２は保護カバーの一部を破断した電子機器の背面図、図３は側面図、図４は図２のＡ−Ａ断面図、図５は保護カバーを取り外した状態の斜視図である。上記電子機器１は、デジタルスチルカメラとして構成されている。（以下、電子機器をデジタルスチルカメラと総称する）。
【００１１】
上記デジタルスチルカメラ１は、扁平な直方体形状の筐体２の一方の主面２ａには沈胴式の撮像レンズ３が配置され、該撮像レンズ３の上方にはフラッシュ４と、セルフタイマーランプ５と、オプチカルビューファインダー窓６が配置されている。
【００１２】
図２に示すように、上記一方の主面２ａの対面の他方の主面２ｂには、上記撮像レンズ３を通して撮影した画像等を表示する液晶や有機ＥＬ（エレクトロルミネッセンス）等のモニター７が配置され、該モニター７の上部にはオプチカルビューファインダー（ＯＶＦ）１１が設けられ、モニター７の一側部は操作ボタン配置スペース１２が形成されている。
【００１３】
上記操作ボタン配置スペース１２の上部にはズームアウトボタン１３とズームインボタン１４が配置されている。また、上記操作ボタン配置スペース１２の上記モニター７側の側部には上記モニター７に電池残量等を表示する画面の表示・非表示、操作キイ等のアイコンや文字等表示・非表示を切り替えるための画面切換用の操作ボタン１５、画像サイズの切り替え等を行う操作ボタン１６、画面の削除等を行う操作ボタン１７が配置されている。また、上記操作ボタン配置スペース１２の上記モニター７と反対側の側部には動作モード切替用の回転ダイヤル１８と、コントロールボタン１９が配置されている。
【００１４】
上記回転ダイヤル１８は、その上面に動画モード、静止画モード、夜景画モード、風景画モード等を示す複数のアイコン１８ａが表示されている。上記回転ダイヤル１８を回転させて上記各アイコン１８ａを設定位置２０に合わせることにより各モードの選択を行うようになっている。
【００１５】
上記コントロールボタン１９は、所謂十字キイに形成されていて、第１の操作部１９ａを押圧操作するとストロボ撮影を行い、第２の操作部１９ｂを押圧操作すると直前に撮影した画像の再生を行い、第３の操作部１９ｃを押圧操作するとタイマー撮影を行い、第４の操作部１９ｄを押圧操作するとマクロ撮影を行うことができる。
【００１６】
図３，図４に示すように、上記回転ダイヤル１８は、上面側を透明なプラスチックプレート製の保護カバー２１で覆われている。上記保護カバー２１の上面は、筐体２を把持する際に、指先を当てる指置きスペースとして使用される。
【００１７】
図２，図３に示すように、上記筐体２は、上記回転ダイヤル１８を操作するための回転操作部２２を一側部に備えている。上記回転ダイヤル１８の外周面１８ｂの一部は、上記回転操作部２２内に突出している。そして、上記回転操作部２２内に突出している回転ダイヤル１８の外周面１８ｂを指先等で操作することにより回転ダイヤル１８を回転させる。上記回転ダイヤル１８の外周面１８ｂには指先等が滑らないようにする凹凸が形成されている。
【００１８】
図４に示すように、上記回転ダイヤル１８の下部には、ロータリースイッチ２３と基板２４が配置されている。そして、上記回転ダイヤル１８を回転させると、これに連動して上記ロータリースイッチ２３が回転してモードの切替が行われる。
【００１９】
図５に示すように、上記保護カバー２１は、上記モニター７や回転ダイヤル１８等を配置した筐体２の他方の主面２ｂの略全域を覆う大きさに形成されていて、上記筐体２の他方の主面２ｂの周縁部に設けたカバー取付部２５上に重ね合せた状態で取り付けられている。そして、上記保護カバー２１を通して上記回転ダイヤル１８の上面に付されたアイコン１８ａや上記モニター７に表示された画像等を見ることが可能になっている。
【００２０】
上記保護カバー２１は、オプチカルビューファインダー（ＯＶＦ）１１に対向する位置にビューファインダー用の切欠窓部３１を備え、上記ズームアウトボタン１３とズームインボタン１４に対向する位置にボタン用の切欠窓部３２を備えていて、上記カバー取付部２５上に保護カバー２１を取り付けた場合においても上記ビューファインダー用の切欠窓部３１を通してオプチカルビューファインダー（ＯＶＦ）１１を覗くことができ、また上記ボタン用の切欠窓部３２を通して上記ズームアウトボタン１３とズームインボタン１４を操作できようになっている。
【００２１】
また、上記保護カバー２１は、上記画面切換用の操作ボタン１５に対向する位置、画像サイズの切り替え等を行う操作ボタン１６に対向する位置、画面の削除等を行う操作ボタン１７に対向する位置、上記コントロールボタン１９に対向する位置に、第１〜第４のボタン用の孔３３〜３６を備えている。そして、上記保護カバー２１を筐体２の主面２ｂに取り付けると、上記第１〜第４のボタン用の孔３３〜３６に、上記画面切換用の操作ボタン１５、画像サイズの切り替え等を行う操作ボタン１６、画面の削除等を行う操作ボタン１７、上記コントロールボタン１９が嵌合して、これらボタンは、保護カバー２１の上面側に突出して保護カバー２１の上面側から操作可能になる。
【００２２】
上記保護カバー２１は、上記モニター７及び回転ダイヤル１８に対向する部分が透明窓部２１ａになっていて、これら透明窓部２１ａを通して、上記上記モニター７の画像や上記回転ダイヤル１８上面の全てのアイコン１８ａを視認可能になっている。上記保護カバー２１の上記透明窓部２１ａ以外の部分は、不透明な目隠し部分２１ｂになっていて、上記筐体２側のカバー取付部等の人目に曝したくない部分を覆い隠すようになっている。
【００２３】
上記保護カバー２１は、透明な硬質のプラスッチクプレートで作られている。上記不透明な目隠し部分２１ｂは、上記透明なプラスッチクプレートの下面にベタ印刷３７を施すことにより形成され、上記透明窓部２１ａは、上記ベタ印刷３７を施さないことにより形成されている。
【００２４】
実施例のデジタルスチルカメラ１は、上述のような構成であって、モード切替用の回転ダイヤル１８を回転可能に保ちつつ、該回転ダイヤル１８の上面側を透明な保護カバー２１で覆って、該保護カバー２１の上面を指置きスペースとしたので、回転ダイヤル１８の上面に触れることなく、上記保護カバー２１の上面を把持することができる。従って、回転ダイヤル１８の周囲に十分な指置きスペースを確保することができなかったために、デジタルスチルカメラ１を把持する際に誤って回転ダイヤル１８に接触することによる回転ダイヤル１８の誤作動、或いは致し方なく回転ダイヤルの上面に指を置いて把持していた場合等に多発していた回転ダイヤルの誤作動を確実に防止することができる。
【００２５】
また、保護カバー２１の上記回転ダイヤル１８の上面に対向する部分の全域を透明窓部２１ａにしたので、保護カバー２１を通して回転ダイヤル１８の上面に表示されている全てのアイコン１８ａを見ながら回転ダイヤル１８を操作することができる。また、上記回転ダイヤル１８に対向する透明窓部２１ａ以外の部分を不透明な目隠し部分２１ｂにしたので、見せたくない部分を覆い隠すことができる。
【００２６】
なお、上記実施例では、保護カバー２１を回転ダイヤル１８の上部だけでなく、上記モニター７の上部を覆うようにした場合を示したが、上記操作ボタン配置スペース１２の上部のみを保護カバー２１で覆う構成にしてもよい。また、上記液晶等のモニター７の表面を保護する保護シートを利用し、その端部を上記操作ボタン配置スペース１２に延長させることにより、保護カバー２１を形成してもよい。即ち、モニター７の保護シートを利用して、保護カバー２１を形成してもよい。また、上記実施例では、手に持って操作する電子機器の代表として、デジタルスチルカメラを例にとって説明したが、デジタルスチルカメラに限定されるものではなく、回転ダイヤルを有していて手に持って使用される電子機器であればデジタルビデオカメラやゲーム機やその他の電子機器であってもよい。また、保護カバー２１により覆われるダイヤルは、プッシュ式のダイヤルであってもよい。この場合はプッシュする部分のみを露出させ他の部分を保護カバー２１で覆って、この保護カバー２１の部分を指置き部とする。
【図面の簡単な説明】
【００２７】
【図１】本発明のデジタルスチルカメラを正面側から見た斜視図。
【図２】保護カバーの一部を破断した本発明のデジタルスチルカメラの背面図。
【図３】本発明のデジタルスチルカメラの側面図。
【図４】図２のＡ−Ａ断面図。
【図５】保護カバーを取り外した状態の斜視図。
【図６】従来例の説明図。
【図７】他の従来例の説明図。
【符号の説明】
【００２８】
１…デジタルスチルカメラ（電子機器）、２…扁平な直方体形状の筐体、２ａ…筐体の一方の主面、２ｂ…筐体の他方の主面、７…モニター、１２…操作ボタン配置スペース、１８…回転ダイヤル、２１…保護カバー、２１ａ…透明窓部、２１ｂ…不透明な目隠し部分。
【図１】
2008211293.tif 000003
【図２】
2008211293.tif 000004
【図３】
2008211293.tif 000005
【図４】
2008211293.tif 000006
【図５】
2008211293.tif 000007
【図６】
2008211293.tif 000008
【図７】
2008211293.tif 000009